(57)【要約】【課題】使用者に注意を促す為に発生させる報知音の音量は、通常使用における操作説明といった音声ガイドやスイッチ受け付けなどの報知音よりも大きくすることで、使い勝手を向上させること。【解決手段】被加熱物２を加熱する加熱手段３と、加熱手段３への通電を制御する制御手段６と、制御手段６からの信号により音声を出力する音声合成手段７と、音声合成手段７により合成される音声信号の音量を制御手段６からの信号に基づき調節する音量調節手段８を備え、音声合成手段７から出力される音声のうち、使用者への警告音声のみ音量調節手段８により音量を大きく設定されていることにより、使用者へ注意を促す警告音声の聞き逃しを防ぐことができ、報知音による利便性及び安全性の効果を向上させることができる。【選択図】図１
2006077996.tif 000002
【特許請求の範囲】
【請求項１】
被加熱物を加熱する加熱手段と、前記加熱手段への通電を制御する制御手段と、前記制御手段からの信号により音声を出力する音声合成手段と、前記音声合成手段により合成される音声信号の音量を前記制御手段からの信号に基づき調節する音量調節手段とを備え、前記音声合成手段から出力される音声のうち所定の音声のみを前記音量調節手段により他の音声より音量を大きく設定された加熱調理器。
【請求項２】
使用者への警告音声を所定の音声とする請求項１に記載の加熱調理器。
【請求項３】
音量設定手段を備え、前記音量設定手段により所定の音声の音量とその他の音声の音量との少なくとも二種類以上の設定を可能とする請求項１に記載の加熱調理器。
【請求項４】
音量設定手段を備え、前記音量設定手段により使用者への警告音声の音量とその他の音声の音量との二種類の設定を可能とする請求項２に記載の加熱調理器。
【請求項５】
不揮発性記憶装置を備え、音量設定手段により設定された音量を前記不揮発性記憶装置に記憶することを可能とする請求項３または４に記載の加熱調理器。
【請求項６】
音声報知停止切り替え手段を備え、前記音声報知停止切り替え手段により所定の音声を除き音声報知を停止することを可能とする請求項１、３または５のいずれか１項に記載の加熱調理器。
【請求項７】
音声報知停止切り替え手段を備え、前記音声報知停止切り替え手段により使用者への警告音声を除き音声報知を停止することを可能とする請求項２、４または５のいずれか１項に記載の加熱調理器。
【請求項８】
加熱手段は誘導加熱手段である請求項１〜７のいずれか１項に記載の加熱調理器。
【発明の詳細な説明】
【技術分野】
【０００１】
本発明は、家庭用や業務用のキッチン等に用いられる加熱調理器に関するものである。
【背景技術】
【０００２】
従来のこの種の加熱調理器として誘導加熱調理器を用いて説明する。図５は従来の加熱調理器としての誘導加熱調理器の構成図である。図において、トッププレート２６の上に鍋２７が載置される。加熱コイル２８はトッププレート２６の下部に配置され、高周波磁界を発生することにより、鍋２７を誘導加熱する。温度検出器２９はトッププレート２６の下部温度を検出し入力制御手段３２に出力し、スイッチ部３０にて使用者は設定を入力しその結果は入力制御手段３２に出力され、制御回路３１は加熱コイル２８を制御すると共に入力判定手段３３から出力制御手段３５を介した信号入力により鍋２７が誘導加熱に適正であるかどうかあるいは鍋２７の有無を判定して入力制御手段３２に鍋２７の状態信号を出力し、入力制御手段３２は温度検出器２９の温度とスイッチ部３０の設定と制御回路３１の鍋の状態とに応じた信号を入力判定手段３３に出力し、入力判定手段３３は入力制御手段３２の出力を判定して出力制御手段３５と音声合成手段３４とに出力し、音声合成手段３４は入力判定手段３３の判定信号の出力により音声データを出力し、出力制御手段３５は入力判定手段３３の出力により制御回路３１に判定信号を出力し、制御回路３１は判定信号に基づいて加熱コイル２８を制御し、音声合成ＬＳＩ３６は音声合成手段３４から音声データを入力して音声信号を出力し、発振子３７は音声合成ＬＳＩ３６のクロックを作り、アンプ（ＡＭＰ）部３８は音声合成ＬＳＩ３６から出力される音声信号を増幅し、スピーカ３９はアンプ部３８からの信号を音声に変換して出力し、表示部４０は入力判定手段３３の出力によりＬＥＤを点灯させて表示する構成であった。スイッチ部３０で操作を行った、鍋２７が適正でない、温度検出器２９が危険温度を検知した、などの状態を入力判定手段３３の出力信号に基づいて音声合成手段３４より音声データを出力すると共に、入力判定手段３３の出力信号に基づいて表示部４０のＬＥＤを点灯させるといった方法を取っていた（例えば、特許文献１参照）。
【０００３】
また、加熱調理器における操作説明の音声報知は、使い慣れた使用者にとっては逆にわずらわしいと感じられることがあり、その対策として音声報知停止スイッチを備えることで音声報知を停止させる機能をもつものもあった（例えば、特許文献２参照）。
【特許文献１】実開平１−１３０２９６号公報
【特許文献２】実開平４−５１７９４号公報
【発明の開示】
【発明が解決しようとする課題】
【０００４】
しかしながら、前記従来の構成では、音声報知を停止させた状態では音声報知の目的の一つである機器の誤使用の指摘や異常時の警告を速やかに、分かりやすく行うといった機能を果たせていないという課題を有していた。
【０００５】
本発明は、前記従来の課題を解決するもので、使用者に注意を促す為に発生させる報知音の音量は、通常使用における操作説明といった音声ガイドやスイッチ受け付けなどの報知音よりも大きくすることで、使い勝手を向上させた加熱調理器を提供することを目的とする。
【課題を解決するための手段】
【０００６】
前記従来の課題を解決するために、本発明の加熱調理器は、音声合成手段から出力される音声のうち、所定の音声のみ音量調節手段により音量を大きく設定したものである。
【０００７】
これにより、使用者への警告音声は機器から離れていても十分聞き取れる音量であるが、通常使用時に発声される機器の操作説明などの音声は使用者にとって耳障りにならない小さな音量に設定することができる。
【発明の効果】
【０００８】
本発明の加熱調理器は、報知音による利便性及び安全性の効果をさらに向上させ、使い勝手を向上させることができる。
【発明を実施するための最良の形態】
【０００９】
第１の発明は、被加熱物を加熱する加熱手段と、前記加熱手段への通電を制御する制御手段と、前記制御手段からの信号により音声を出力する音声合成手段と、前記音声合成手段により合成される音声信号の音量を前記制御手段からの信号に基づき調節する音量調節手段とを備え、前記音声合成手段から出力される音声のうち所定の音声のみを前記音量調節手段により他の音声より音量を大きく設定されていることにより、使用者が機器から目を離す可能性の高い自動調理メニューの終了報知音や使用者へ注意を促す警告音声の聞き逃しを防ぐことができ、報知音による利便性及び安全性の効果を向上させることができる。
【００１０】
第２の発明は、特に、第１の発明の音声合成手段から出力される音声のうち使用者への警告音声を所定の音声にし、音量調節手段により音量を大きく設定されていることにより、使用者が機器の安全性に関する警告音声を聞き逃す可能性を減らすことができ、報知音による安全性の効果を向上させることができる。
【００１１】
第３の発明は、特に、第１の発明に音量設定手段を備え、前記音量設定手段により所定の音声の音量と、その他の音声の音量との少なくとも二種類の音量設定を可能とすることにより、使用者が機器から目を離している可能性の高いオート調理のメニューの終了報知音や使用者へ注意を促す警告音声など音量を大きめに設定したいものと、そうでない報知音の音量をそれぞれ使用者にとって最適な音量に調節することができることで、報知音による利便性及び安全性の効果をさらに向上させることができる。
【００１２】
第４の発明は、特に、第２の発明に音量設定手段を備え、前記音量設定手段により使用者への警告音声の音量とその他の音声の音量の二種類の設定を可能とすることにより、使用者が機器の安全性に関する警告音声の音量とそれ以外の報知音の音量をそれぞれ、使用者にとって最適な音量に調節することができることで、報知音による安全性の効果をさらに向上させることができる。
【００１３】
第５の発明は、特に、第３または第４の発明に不揮発性記憶装置を備え、音量設定手段により設定された音量を前記不揮発性記憶手段に記憶することを可能とすることにより、電源遮断前に一度調節した音量を電源復帰時に再調節するわずらわしさがなく、使い勝手を向上させることができる。
【００１４】
第６の発明は、特に、第１、２又は５の発明のいずれか１つの発明に音声報知停止切り替え手段を備え、前記音声報知停止切り替え手段により所定の音声を除き音声報知を停止することを可能とすることにより、使用者がわずらわしいと感じる報知音を停止することができ、使用者の使い勝手を向上させることができる。
【００１５】
第７の発明は、特に、第２、４又は５の発明のいずれか１つの発明に音声報知停止切り替え手段を備え、前記音声報知停止切り替え手段により使用者への警告音声を除き音声報知を停止することを可能とすることにより、使用者がわずらわしいと感じる報知音を停止することができるが、使用者への警告音声は停止できないことで、報知音による機器の安全性を損なうことなく、使用者の使い勝手を向上させることができる。
【００１６】
第８の発明は、特に、第１〜７の発明のいずれか１つの発明における加熱手段は誘導加熱手段であることにより、炎がでないことから安全性を特徴とする誘導加熱調理器において、効果的な報知音の使用により安全性を更に向上させることができる。
【００１７】
以下本発明の実施の形態について、図面を参照しながら説明する。なお、この実施の形態によって本発明が限定されるものではない。
【００１８】
（実施の形態１）
図１は、本発明の第１の実施の形態における加熱調理器の全体構成図である。
【００１９】
図１において、トッププレート１の上に鍋（被加熱物）２が載置される。加熱コイル（加熱手段）３はトッププレート１の下部に配置され、高周波磁界を発生することにより、鍋２を誘導加熱する。温度検出器４はトッププレート１の下部温度を検出し、スイッチ部５により使用者は設定を入力しその結果は制御手段６に入力され、制御手段６は加熱コイル３の出力を制御し、音声合成手段７は制御手段６からの命令を入力して命令に応じた音声データを出力し、音量調節手段８は音声合成手段７により合成される音声信号の音量を制御手段６から入力した音量信号に基づき音量を調節し、音声合成ＬＳＩ９は音声合成手段７から出力された音声データを入力して音声信号を出力し、発振子１０は音声合成ＬＳＩ９のクロックを作り、アンプ（ＡＭＰ）部１１は音声信号を増幅し、スピーカ１２はアンプ部１１からの信号を変換し音声を出力する構成である。そしてこの場合における制御手段６、音声合成手段７、音量調節手段８はマイクロコンピュータ４１で構成される。
【００２０】
以下、上記構成による加熱調理器の動作を図１と図２に示す報知音発生プログラムチャートを使用して説明する。
【００２１】
まず、図示されていない電源スイッチを投入した後に報知音発生プログラムをスタートさせるとステップ１３においてスイッチ部５の設定状態に応じた信号を制御手段６より送出するスイッチ入力処理を行う。ステップ１４において温度検出器４より計測された温度に応じて制御手段６にて温度入力処理を行う。ステップ１５においてはステップ１３においてスイッチ部５の信号が入力されていると制御手段６によってスイッチ入力判定を行う。そして、このスイッチ入力判定で入力ありの場合にはステップ１６のスイッチ入力音声処理を行う。ここではステップ１５によって選択されたスイッチ部の設定状態に応じた信号を音声合成手段７で音声データに変換して出力する。この時同時に制御手段６から音量調節手段８にスイッチ入力音声処理の音量は小音量（本実施の形態１では４０ｄＢ）で行うという信号が音量調節手段８に送信され、受信した信号に基づき音量調節手段８は音量調節を行う。例えば、スイッチ部５の設定を自動湯沸かしとした場合、「自動湯沸かしを開始します。」というような音声が小音量で出力される。またステップ１５のスイッチ入力判定が入力なしの場合はステップ１６を通らず次のステップ１７に移行する。ステップ１７ではステップ１４の温度検出器４によって現在温度が予め定められた範囲の所定温度であるかどうかの危険温度判定を行う。そして、この危険温度判定がＹＥＳの場合にはステップ１９の危険温度音声処理を実行し、その後にステップ２１で出力停止を行う。例えば、略２２０℃を検知した場合には出力停止を行う。ここではステップ１７によって選択された所定温度以上であるという信号を音声合成手段７で音声データに変換して出力する。この時同時に制御手段６から音量調節手段８に危険温度音声処理の音量は大音量（本実施の形態１では８０ｄＢ）で行うという信号が音量調節手段８に送信され、受信した信号に基づき音量調節手段８は音量調節を行う。例えば、「空焼きです。加熱を停止します。」というような音声が大音量で出力される。その後にステップ２１で加熱コイル３の出力を制御手段６によって停止させる。またステップ１７の危険温度判定に所定温度以下であるという信号が入力されてＮＯの場合にはステップ１８に移行する。ステップ１８では制御手段６により運転中で有るか否かの運転判定を行う。そして、この運転判定がＮＯの場合にはステップ２０の終了音声処理を実行し、その後にステップ２１で加熱コイル３の出力停止を行う。ここではステップ１８によって選択された運転停止信号を音声合成手段７で音声データに変換して出力する。この時同時に制御手段６から音量調節手段８に終了音声処理の音量は大音量（本実施例では８０ｄＢ）で行うという信号が送信され、受信した信号に基づき音量調節手段８は音量調節を行う。例えば、「加熱が終了しました。」と音声が大音量で出力される。その後にステップ２１で加熱コイル３の出力を制御手段６によって停止させる。またステップ１８の運転判定時に制御手段６にスイッチ部５から運転信号が入力されておりＹＥＳの場合にはステップ２２で加熱コイル３の出力を制御手段６によって続行させる。
【００２２】
以上のように、本実施の形態においては危険温度音声処理と終了音声処理の音量は大音量の設定に、スイッチ音声処理の音量は小音量に設定されていることにより、使用者が機器に触れている際に発生する、頻度が高い報知音は耳障りにならず、一方使用者が機器から離れている可能性のある自動調理やタイマー調理の終了報知音や警告報知音は確実に耳に入ることで使用者の使い勝手及び安全性を向上させることができる。
【００２３】
また、以上の実施の形態１で述べたように音声による報知を炎がでないことから安全性を特徴とする誘導加熱調理器に使用することにより、家庭内で安全性の高い、かつ使いやすい誘導加熱調理器を提供できるものである。
【００２４】
また、本実施の形態の加熱コイル３にかえてラジェントヒータやガス熱源などの加熱部を用いた場合も同様の効果がある。
【００２５】
また、本実施の形態においては温度検出器４を備えて危険温度を検知すると危険温度音声処理を行っているが、誘導加熱に不適切な鍋（例えば、ガラス製の鍋、径の小さい鍋）２を電気的特性（商用電源からの入力電流、加熱コイル３の電流、制御手段６のスイッチング素子に印加される電圧等）の差異により検知する鍋検知部を備えて不適切鍋使用音声処理を行う場合、トッププレート１の汚れをトッププレート１上方からの赤外線の入力量の差異で検知する汚れ検知部を備えて汚れ検知音声処理行う場合も同様の効果を得ることができる。
【００２６】
（実施の形態２）
図３は、本発明の第２の実施の形態の加熱調理器の全体構成図である。不揮発性記憶装置２４は音量設定手段２３に使用者により設定された音量設定データを制御手段６を介して入力して記憶し、制御手段６は必要に応じて不揮発性記憶装置２４から音量設定データを入力する。
【００２７】
第１の実施の形態との違いは、音量設定手段２３及び不揮発性記憶装置２４を設けた点である。
【００２８】
以上のように構成された加熱調理器において、図３と図２に示す報知音発生プログラムチャートを使用して説明する。
【００２９】
まず、図示されていない電源スイッチを投入した後に報知音発生プログラムをスタートさせるとステップ１３、ステップ１４、ステップ１５の実施の形態１と同様の処理を進めていく。制御手段６によってスイッチ入力判定を行い、このスイッチ入力判定で入力ありの場合にはステップ１６のスイッチ入力音声処理を行う。ここではステップ１５によって選択されたスイッチ部５の設定状態に応じた信号を音声合成手段７で音声データに変換して出力する。この時同時に制御手段６から音量調節手段８にスイッチ入力音声処理の音量が送信され、受信した信号に基づき音量調節手段８は音量調節を行うが、その音量は音量設定手段２３により自由に設定することができる。本実施の形態での音量設定手段２３は使用者が３０ｄＢから１００ｄＢまでの音量をつまみ型の調節器をひねることで調整して設定することができる。例えば、音量設定手段２３により５０ｄＢに設定し、スイッチ部の設定を自動湯沸かしとした場合、「自動湯沸かしを開始します。」というような音声出力が５０ｄＢの音量で行われる。ステップ１７の危険温度判定がＹＥＳの場合にはステップ１９の危険温度音声処理を実行し、その後にステップ２１で加熱コイル３の出力停止を行う。ここではステップ１７によって選択された所定温度以上であるという信号を音声合成手段７で音声データに変換して出力する。この時同時に制御手段６から音量調節手段８に危険温度音声処理の音量が送信され、受信した信号に基づき音量調節手段８は音量調節を行うが、その音量はスイッチ音声入力処理と同様に音量設定手段２３により自由に設定することができる。本実施の形態での音量設定手段２３は前述と同様に、使用者が調節して設定することができ、先ほど設定したスイッチ入力音声処理と別の調節器であり、異なる設定が可能である。例えば、音量設定手段２３により７０ｄＢに設定すると「空焼きです。加熱を停止します。」というような音声出力が７０ｄＢの音量で出力される。
【００３０】
以上のように、本実施の形態においては危険温度音声処理とスイッチ入力音声処理の音量を異なる音量に自由に設定することを可能とすることで、使用者にとって最適な音声仕様を実現することができる。
【００３１】
また、本実施の形態において音量設定手段２３は３０ｄＢから１００ｄＢまでをつまみ型の調節器を複数もうけているが、タクトスイッチによって音量を調節２０ｄＢから８０ｄＢまで調節できる調節器が一つで複数の音量設定を行うと言ったように音量設定手段２３の設定音量範囲及び調節器の形態は本実施の形態に限定するものではない。
【００３２】
また、一度設定した音量は不揮発性記憶装置２３に記憶させておくことで、電源遮断から再通電した際に再度調節する手間を省き、使い勝手を向上させることができる。
【００３３】
（実施の形態３）
図４は、本発明の第３の実施の形態の加熱調理器の全体構成図である。第２の実施の形態との違いは、音声報知停止切り替え手段２５を設けた点である。
【００３４】
以上のように構成された加熱調理器において、その動作、作用を説明する。
【００３５】
図示されている音声報知停止切り替え手段２５はタクトスイッチからなっており、３秒間長押しすることで音声報知と音声報知の停止を切り替えることができる。３秒間長押しすることにより音声報知停止を設定すると第２図に示す報知音発生プログラムチャートにおけるステップ１６のスイッチ入力音声処理とステップ２０の終了音声処理は各ステップに進んでも実行されずに音声は出力されないし、また、ステップ１９の危険温度音声処理に進むと実行されて警告音声が出力される。
【００３６】
以上のように、本実施の形態において使用者がわずらわしいと感じる報知音は停止することができるが、使用者への警告音声は停止できないことで、報知音による機器の安全性を損なうことなく、使用者の使い勝手を向上させることができる。
【００３７】
危険温度音声処理とスイッチ入力音声処理の音量を異なる音量に自由に設定することを可能とすることで、使用者にとって最適な音声仕様を実現することができる。
【００３８】
また、本実施の形態において音声報知停止切り替え手段２５はタクトスイッチを長押しすることで実現したが、トグルスイッチといったように音声報知停止切り替え手段２５の形態は本実施の形態に限定しない。
【００３９】
また、一度設定した音声報知停止の切り替えを不揮発性記憶装置２４に記憶させておくことで、電源遮断から再通電した際に、再度切り替えする手間を省き、使い勝手を向上させることができる。
【産業上の利用可能性】
【００４０】
以上のように、本発明にかかる加熱調理器は機器の報知音を設置環境や使用者の使用状況に合わせて最適な音量に設定及び調節が可能となるので、加熱調理器に限らず音声を使用する機器等の報知の用途にも適応できる。
【図面の簡単な説明】
【００４１】
【図１】本発明の第１の実施の形態における加熱調理器の全体構成図
【図２】本発明の第１の実施の形態における加熱調理器の報知音発生装置の動作を示すフローチャート
【図３】本発明の第２の実施の形態における加熱調理器の全体構成図
【図４】本発明の第３の実施の形態における加熱調理器の全体構成図
【図５】本発明の従来例における加熱調理器の全体構成図
【符号の説明】
【００４２】
２  鍋（被加熱物）
３  加熱コイル（加熱手段）
６  制御手段
７  音声合成手段
８  音量調節手段
２３  音量設定手段
２４  不揮発性記憶装置
２５  音声報知停止切り替え手段
【図１】
2006077996.tif 000003
【図２】
2006077996.tif 000004
【図３】
2006077996.tif 000005
【図４】
2006077996.tif 000006
【図５】
2006077996.tif 000007